(57)【要約】  熱交換型換気装置（１００）は、室外からの空気を室内に給気するための給気風路と室内からの空気を室外に排気するための排気風路とが形成される箱状の筐体（１）と、給気風路内に配置される給気用送風機と、排気風路内に配置される排気用送風機と、筐体（１）内に配置されて給気風路内を流れる空気と排気風路内を流れる空気との間で熱交換させる熱交換素子と、筐体（１）内に配置される制御基板（１５）とを備える。筐体（１）には、制御基板（１５）の少なくとも一部を筐体（１）外へ引出可能な基板用開口部（１６）が形成されている。
2021014491.tif 000002
【特許請求の範囲】
【請求項１】
室外からの空気を室内に給気するための給気風路と、室内からの空気を室外に排気するための排気風路とが形成される箱状の筐体と、
前記給気風路内に配置される給気用送風機と、
前記排気風路内に配置される排気用送風機と、
前記筐体内に配置されて、前記給気風路内を流れる空気と前記排気風路内を流れる空気との間で熱交換させる熱交換素子と、
前記筐体内に配置される制御基板と、を備え、
前記筐体には、前記制御基板の少なくとも一部を前記筐体外へ引出可能な基板用開口部が形成されていることを特徴とする熱交換型換気装置。
【請求項２】
前記筐体は、下方を向く底板を有しており、
前記底板には、前記基板用開口部が形成されていることを特徴とする請求項１に記載の熱交換型換気装置。
【請求項３】
前記筐体は、上方を向く天板を有しており、
前記天板には、前記筐体の内外を連通し、ダクトが接続されるダクト接続口が設けられており、
前記天板の上には、前記ダクト接続口および前記ダクトを隠す意匠材が配置されていることを特徴とする請求項２に記載の熱交換型換気装置。
【請求項４】
前記筐体外へ引き出された前記制御基板を静止した状態で保持する保持部をさらに備えることを特徴とする請求項１から３のいずれか１項に記載の熱交換型換気装置。
【請求項５】
前記制御基板は、複数の基板を備えており、
前記複数の基板のうちの少なくとも１つは、前記基板用開口部を通じて前記筐体外へ引出可能であることを特徴とする請求項１から４のいずれか１項に記載の熱交換型換気装置。
【請求項６】
前記制御基板は、１つの基板であることを特徴とする請求項１から４のいずれか１項に記載の熱交換型換気装置。
【請求項７】
前記筐体は、建物の壁面に設置されており、
前記制御基板の部品面は、前記壁面と反対側を向くことを特徴とする請求項１から６のいずれか１項に記載の熱交換型換気装置。
【請求項８】
前記筐体には、
室外からの空気を前記筐体内に吸い込むための室外側吸込部と、
室内からの空気を前記筐体内に吸い込むための室内側吸込部と、
室外からの空気を前記筐体外へ吹き出すための室内側吹出部と、
室内からの空気を前記筐体外へ吹き出すための室外側吹出部と、
前記給気風路内に配置される外気フィルターと、
前記給気風路内に配置される給気フィルターと、
前記排気風路内に配置される排気フィルターと、が設けられており、
前記筐体のうち前記壁面に接する板部を背板とし、前記背板を挟んで前記壁面と反対側に配置される板部を正面板とし、前記正面板に対峙したユーザーから見た左右方向を左右方向としたときに、
前記室内側吸込部、前記室内側吹出部、前記給気フィルターおよび前記排気フィルターは、前記筐体の左右方向の中心よりも左方に配置されており、
前記室外側吸込部、前記室外側吹出部および前記外気フィルターは、前記筐体の左右方向の中心よりも右方に配置されていることを特徴とする請求項７に記載の熱交換型換気装置。
【請求項９】
前記筐体には、
室外からの空気を前記筐体内に吸い込むための室外側吸込部と、
室内からの空気を前記筐体内に吸い込むための室内側吸込部と、
室外からの空気を前記筐体外へ吹き出すための室内側吹出部と、
室内からの空気を前記筐体外へ吹き出すための室外側吹出部と、
前記給気風路内に配置される外気フィルターと、
前記給気風路内に配置される給気フィルターと、
前記排気風路内に配置される排気フィルターと、が設けられており、
前記筐体のうち前記壁面に接する板部を背板とし、前記背板を挟んで前記壁面と反対側に配置される板部を正面板とし、前記正面板に対峙したユーザーから見た左右方向を左右方向としたときに、
前記室内側吸込部、前記室内側吹出部、前記給気フィルターおよび前記排気フィルターは、前記筐体の左右方向の中心よりも右方に配置されており、
前記室外側吸込部、前記室外側吹出部および前記外気フィルターは、前記筐体の左右方向の中心よりも左方に配置されていることを特徴とする請求項７に記載の熱交換型換気装置。
【発明の詳細な説明】
【技術分野】
【０００１】
本発明は、室外からの空気と室内からの空気との間で熱交換させながら換気を行う熱交換型換気装置に関する。
【背景技術】
【０００２】
従来、建物に設置されて、室外からの空気と室内からの空気との間で熱交換させながら換気を行う熱交換型換気装置が知られている。【０００３】
例えば、特許文献１には、箱状の筐体と、筐体内に配置されて室外からの空気と室内からの空気との間で熱交換させる熱交換素子と、筐体内で熱交換素子の上方に配置された制御基板とを備える熱交換型換気装置が開示されている。筐体の天板には、それぞれにダクトが接続される複数のダクト接続口と、筐体の内部と外部とを連通する開口部と、開閉可能であって閉じているときに開口部を覆う蓋とが設けられている。制御基板は、開口部の直下に配置されている。作業者は、制御基板への作業を、蓋を開けて開口部を通じて行うことができる。なお、制御基板への作業とは、制御基板にセンサーを接続する作業、制御の設定変更を行う作業などである。
【先行技術文献】
【特許文献】
【０００４】
【特許文献１】国際公開第２００９／０９０３９５号
【発明の概要】
【発明が解決しようとする課題】
【０００５】
しかし、蓋を開けて開口部を通じて制御基板への作業を行う特許文献１に記載の構造であると、制御基板を筐体内に入れたまま、制御基板への作業を行うことになる。そのため、制御基板への作業が行いにくいという問題がある。【０００６】
本発明は、上記に鑑みてなされたものであって、制御基板への作業が行いやすくなる熱交換型換気装置を得ることを目的とする。
【課題を解決するための手段】
【０００７】
上述した課題を解決し、目的を達成するために、本発明にかかる熱交換型換気装置は、室外からの空気を室内に給気するための給気風路と、室内からの空気を室外に排気するための排気風路とが形成される箱状の筐体と、給気風路内に配置される給気用送風機と、排気風路内に配置される排気用送風機と、筐体内に配置されて、給気風路内を流れる空気と排気風路内を流れる空気との間で熱交換させる熱交換素子と、筐体内に配置される制御基板と、を備える。筐体には、制御基板の少なくとも一部を筐体外へ引出可能な基板用開口部が形成されている。
【発明の効果】
【０００８】
本発明によれば、制御基板への作業が行いやすくなるという効果を奏する。
【図面の簡単な説明】
【０００９】
【図１】本発明の実施の形態１にかかる熱交換型換気装置を示す分解斜視図
【図２】図１に示された熱交換型換気装置の組付状態を示す斜視図であって、熱交換型換気装置が建物の壁面に掛けられて設置された状態を示す図
【図３】図２に示された熱交換型換気装置から制御基板を筐体外に引き出した状態を示す斜視図
【図４】図２に示された熱交換型換気装置から各フィルターおよび各フィルター用蓋を取り外した状態を示す斜視図
【図５】実施の形態１にかかる熱交換型換気装置の平面図
【図６】実施の形態１にかかる熱交換型換気装置の底面図
【図７】実施の形態１にかかる熱交換型換気装置の正面図
【図８】実施の形態１にかかる熱交換型換気装置の背面図
【図９】実施の形態１にかかる熱交換型換気装置の側面図
【図１０】図９に示されたＸ−Ｘ線に沿った断面図
【図１１】実施の形態１にかかる熱交換型換気装置の熱交換素子を示す斜視図
【図１２】図６に示されたＸＩＩ−ＸＩＩ線に沿った断面図
【図１３】本発明の実施の形態２にかかる熱交換型換気装置の組付状態を示す斜視図であって、熱交換型換気装置が建物の壁面に掛けられて設置された状態を示す図
【図１４】図１３に示された熱交換型換気装置から制御基板を筐体外に引き出した状態を示す斜視図
【図１５】図１３に示された熱交換型換気装置から各フィルターおよび各フィルター用蓋を取り外した状態を示す斜視図
【図１６】実施の形態２にかかる熱交換型換気装置の平面図
【図１７】実施の形態２にかかる熱交換型換気装置の底面図
【図１８】実施の形態２にかかる熱交換型換気装置の正面図
【図１９】実施の形態２にかかる熱交換型換気装置の背面図
【図２０】実施の形態２にかかる熱交換型換気装置の側面図
【発明を実施するための形態】
【００１０】
以下に、本発明の実施の形態にかかる熱交換型換気装置を図面に基づいて詳細に説明する。なお、この実施の形態によりこの発明が限定されるものではない。
【００１１】
実施の形態１．
図１は、本発明の実施の形態１にかかる熱交換型換気装置１００を示す分解斜視図である。図２は、図１に示された熱交換型換気装置１００の組付状態を示す斜視図であって、熱交換型換気装置１００が建物の壁面３０に掛けられて設置された状態を示す図である。図３は、図２に示された熱交換型換気装置１００から制御基板１５を筐体１外に引き出した状態を示す斜視図である。図４は、図２に示された熱交換型換気装置１００から各フィルター５，６，７および各フィルター用蓋２０，２１，２２を取り外した状態を示す斜視図である。図１に示すように、熱交換型換気装置１００は、筐体１と、熱交換素子２と、給気用送風機３と、排気用送風機４と、外気フィルター５と、排気フィルター６と、給気フィルター７とを備える。また、熱交換型換気装置１００は、室外側吸込部８と、室内側吸込部９と、室内側吹出部１０と、室外側吹出部１１と、ドレンパン１２と、ドレン口１３と、操作部１４と、制御基板１５とを備える。熱交換型換気装置１００は、室外からの空気と室内からの空気との間で熱交換させながら室内の換気を行う装置である。図２に示すように、熱交換型換気装置１００は、建物の壁面３０において天井面３１付近に掛けられて設置されている。
【００１２】
筐体１は、熱交換型換気装置１００の外殻を構成する箱状の部材である。筐体１の形状は、立方体状でもよいが、本実施の形態では直方体状である。筐体１は、天板１ａと、底板１ｂと、正面板１ｃと、背板１ｄと、左側板１ｅと、右側板１ｆとを有する。本実施の形態では、筐体１のうち壁面３０に接する板部を背板１ｄとし、背板１ｄを挟んで壁面３０と反対側に配置される板部を正面板１ｃとする。なお、方向を説明する場合は、正面板１ｃの法線方向を前方とし、背板１ｄの法線方向を後方とし、正面板１ｃに対峙したユーザーから見た上下方向を上下方向とし、正面板１ｃに対峙したユーザーから見た左右方向を左右方向とする。
【００１３】
天板１ａの法線は、上方を向く。天板１ａの平面視形状は、矩形である。天板１ａには、室外からの空気を筐体１内に吸い込むための室外側吸込部８と、室内からの空気を筐体１内に吸い込むための室内側吸込部９とが設けられている。天板１ａには、室外からの空気を筐体１外へ吹き出すための室内側吹出部１０と、室内からの空気を筐体１外へ吹き出すための室外側吹出部１１とが設けられている。ダクト接続口である室外側吸込部８には、室外に繋がるダクト２７ａが接続される。ダクト接続口である室内側吸込部９には、室内に繋がるダクト２７ｂが接続される。ダクト接続口である室内側吹出部１０には、室内に繋がるダクト２７ｃが接続される。ダクト接続口である室外側吹出部１１には、室外に繋がるダクト２７ｄが接続される。天板１ａの上には、室外側吸込部８、室内側吸込部９、室内側吹出部１０、室外側吹出部１１および各ダクト２７ａ，２７ｂ，２７ｃ，２７ｄを隠すための意匠材２８が配置されている。
【００１４】
図５は、実施の形態１にかかる熱交換型換気装置１００の平面図である。ここで、天板１ａの左右方向の中心を通って正面板１ｃおよび背板１ｄと垂直方向に延びる線を中心線Ｃとする。室内側吸込部９と室内側吹出部１０は、中心線Ｃよりも左方に配置されている。室外側吸込部８と室外側吹出部１１は、中心線Ｃよりも右方に配置されている。室外側吸込部８は、室外側吹出部１１の前方に配置されている。室内側吹出部１０は、室内側吸込部９の前方に配置されている。室外側吸込部８と室内側吹出部１０とは、前後方向において一致する位置に配置されている。室内側吸込部９と室外側吹出部１１とは、前後方向において一致する位置に配置されている。
【００１５】
図６は、実施の形態１にかかる熱交換型換気装置１００の底面図である。底板１ｂの法線は、下方を向く。底板１ｂの底面視形状は、矩形である。底板１ｂは、天板１ａの下方に天板１ａから離れて配置されている。底板１ｂには、筐体１の内部と外部とを連通する基板用開口部１６が形成されている。基板用開口部１６は、筐体１外への制御基板１５の引き出しおよび筐体１内への制御基板１５の差し込みを行うための開口である。下方から見た基板用開口部１６の形状は、矩形である。基板用開口部１６は、底板１ｂの前後方向の中心よりも前方に配置されている。基板用開口部１６は、本実施の形態では底板１ｂのうち正面板１ｃとの境界部の近くに配置されている。底板１ｂには、ドレン口１３が設けられている。ドレン口１３は、本実施の形態では底板１ｂの右後隅部の近くに配置されている。
【００１６】
図７は、実施の形態１にかかる熱交換型換気装置１００の正面図である。正面板１ｃの法線は、正面となる前方を向く。正面板１ｃは、天板１ａと底板１ｂとの前端部同士を繋いでいる。正面板１ｃの正面視形状は、矩形である。図４および図７に示すように、正面板１ｃには、筐体１の内部と外部とを連通する外気フィルター用開口部１７、排気フィルター用開口部１８および給気フィルター用開口部１９が形成されている。
【００１７】
外気フィルター用開口部１７は、筐体１内への外気フィルター５の取り付けおよび筐体１外への外気フィルター５の取り出しを行うための開口である。外気フィルター用開口部１７は、正面板１ｃの左右方向の中心よりも右方に配置されている。前方から見た外気フィルター用開口部１７の形状は、平行四辺形である。外気フィルター用開口部１７は、上方から下方に向かうほど右側板１ｆに近付くように傾斜している。外気フィルター用蓋２０は、開閉可能である。外気フィルター用蓋２０は閉じているときに外気フィルター用開口部１７を覆う。正面板１ｃのうち外気フィルター用開口部１７よりも下方には、熱交換型換気装置１００の運転開始、停止などを操作するための操作部１４が設けられている。操作部１４は、本実施の形態では正面板１ｃの右下隅部の近くに配置されている。
【００１８】
排気フィルター用開口部１８は、筐体１内への排気フィルター６の取り付けおよび筐体１外への排気フィルター６の取り出しを行うための開口である。排気フィルター用開口部１８は、正面板１ｃの左右方向の中心よりも左方に配置されており、外気フィルター用開口部１７と同じ高さ位置に設けられている。前方から見た排気フィルター用開口部１８の形状は、平行四辺形である。排気フィルター用開口部１８は、上方から下方に向かうほど左側板１ｅに近付くように傾斜している。排気フィルター用蓋２１は、開閉可能である。排気フィルター用蓋２１は閉じているときに排気フィルター用開口部１８を覆う。
【００１９】
給気フィルター用開口部１９は、筐体１内への給気フィルター７の取り付けおよび筐体１外への給気フィルター７の取り出しを行うための開口である。給気フィルター用開口部１９は、正面板１ｃの左右方向の中心よりも左方に配置されており、排気フィルター用開口部１８の下方に配置されている。前方から見た給気フィルター用開口部１９の形状は、平行四辺形である。給気フィルター用開口部１９は、上方から下方に向かうほど右側板１ｆに近付くように傾斜している。給気フィルター用蓋２２は、開閉可能である。給気フィルター用蓋２２は閉じているときに給気フィルター用開口部１９を覆う。
【００２０】
図８は、実施の形態１にかかる熱交換型換気装置１００の背面図である。背板１ｄの法線は、後方を向く。背板１ｄは、天板１ａと底板１ｂとの後端部同士を繋いでいる。背板１ｄの背面視形状は、矩形である。
【００２１】
図９は、実施の形態１にかかる熱交換型換気装置１００の側面図である。右側板１ｆの法線は、右方を向く。右側板１ｆは、天板１ａと底板１ｂとの右端部同士を繋いでいる。右側板１ｆの側面視形状は、矩形である。図８に示す左側板１ｅの法線は、左方を向く。左側板１ｅは、天板１ａと底板１ｂとの左端部同士を繋いでいる。左側板１ｅの側面視形状は、矩形である。
【００２２】
図１０は、図９に示されたＸ−Ｘ線に沿った断面図である。図１０に示す実線の矢印Ｘは、室外から室内に向かう空気の流れ、すなわち給気の流れを示している。図１０に示す破線の矢印Ｙは、室内から室外に向かう空気の流れ、すなわち排気の流れを示している。なお、図１０では、説明の容易化のために、室外側吸込部８、室内側吹出部１０を断面にしていない。筐体１内には、室外からの空気を室内に給気するための給気風路２３と、室内からの空気を室外に排気するための排気風路２４とが形成されている。給気風路２３は、室外空気を室外側吸込部８から筐体１内に取り入れて、室内側吹出部１０から室内に向けて給気する風路である。排気風路２４は、室内空気を室内側吸込部９から筐体１内に取り入れて室外側吹出部１１から室外に向けて排気する風路である。以下、上流側、下流側とは、給気風路２３または排気風路２４を流れる空気の流れ方向を基準とする。
【００２３】
給気風路２３には、上流側から順に、外気フィルター５と熱交換素子２と給気用送風機３とが配置されている。給気風路２３の一部は、結露の発生を抑制するために、図１に示す断熱部品２５で形成されている。
【００２４】
排気風路２４には、上流側から順に、排気フィルター６と熱交換素子２と排気用送風機４とが配置されている。排気風路２４の一部は、結露の発生を抑制するために、図１に示す断熱部品２５で形成されている。
【００２５】
熱交換素子２は、給気風路２３内を流れる室外空気と排気風路２４内を流れる室内空気との間で熱交換させる部材である。熱交換素子２は、筐体１内において、天板１ａと台座１２ａとの間に設置されている。台座１２ａと底板１ｂとの間には、制御基板１５を収容するためのスペース２９が形成されている。熱交換素子２は、筐体１の左右方向の中央に配置されている。熱交換素子２は、本実施の形態では水平状態で設置されているが、傾いた状態で設置されてもよい。
【００２６】
図１１は、実施の形態１にかかる熱交換型換気装置１００の熱交換素子２を示す斜視図である。熱交換素子２の形状は、多角柱であれば特に制限されないが、本実施の形態では六角柱である。熱交換素子２は、互いに間隔を空けて配置される複数の仕切部材２ａと、仕切部材２ａ同士の間隔を保持する複数の間隔保持部材２ｂとを備える。仕切部材２ａは、平坦に加工されたシート状に形成されている。仕切部材２ａと間隔保持部材２ｂとは、交互に積層されている。隣り合う仕切部材２ａの間には、風路が形成されている。熱交換素子２には、室外からの空気が流れる風路と、室内からの空気が流れる風路とが交互に設けられている。熱交換素子２は、本実施の形態では室外からの空気の流れ方向と室内からの空気の流れ方向とが互いに直交する直交型の熱交換素子であるが、室外からの空気の流れ方向と室内からの空気の流れ方向とが１８０度異なる対向流型の熱交換素子でもよい。
【００２７】
仕切部材２ａと間隔保持部材２ｂとを積層させた方向である積層方向は、本実施の形態では前後方向と一致しており、正面板１ｃおよび背板１ｄと垂直な方向である。なお、積層方向は、上下方向と一致して天板１ａおよび底板１ｂと垂直な方向でもよいし、左右方向と一致して左側板１ｅおよび右側板１ｆと垂直な方向でもよい。仕切部材２ａの材料を適宜変更することで、熱交換素子２を、顕熱交換および潜熱交換の両方を行える構成にしてもよいし、顕熱交換および潜熱交換のいずれか一方を行える構成にしてもよい。
【００２８】
図１０に示すように、給気用送風機３は、給気風路２３内に配置される送風機である。給気用送風機３は、室外側吸込部８から給気風路２３内に空気を取り込み、室内側吹出部１０から空気を室内へ向けて送風する。給気用送風機３は、熱交換素子２、外気フィルター５および給気フィルター７よりも下流側に配置されている。
【００２９】
排気用送風機４は、排気風路２４内に配置される送風機である。排気用送風機４は、室内側吸込部９から排気風路２４内に空気を取り込み、室外側吹出部１１から空気を室外へ向けて送風する。排気用送風機４は、排気フィルター６および熱交換素子２よりも下流側に配置されている。
【００３０】
外気フィルター５は、給気風路２３内に配置されて、室外からの空気中に含まれる塵埃を捕集する部材である。外気フィルター５は、室外側吸込部８よりも下流側で、熱交換素子２よりも上流側に配置されている。外気フィルター５は、熱交換素子２における室外空気の流入口に配置されている。外気フィルター５で塵埃を捕集することによって、塵埃の付着による熱交換素子２の目詰まりを抑制することができる。外気フィルター５は、筐体１の左右方向の中心よりも右方に配置されている。
【００３１】
給気フィルター７は、給気風路２３内に配置されて、室外からの空気中に含まれる塵埃を捕集する部材である。給気フィルター７は、熱交換素子２よりも下流側で、室内側吹出部１０よりも上流側に配置されている。給気フィルター７は、熱交換素子２における室外空気の流出口に配置されている。給気風路２３内に２枚の外気フィルター５および給気フィルター７を設けることによって、室外からの空気をより一層清浄にすることができる。給気フィルター７は、筐体１の左右方向の中心よりも左方に配置されている。
【００３２】
排気フィルター６は、排気風路２４内に配置されて、室内からの空気中に含まれる塵埃を捕集する部材である。排気フィルター６は、室内側吸込部９よりも下流側で、熱交換素子２よりも上流側に配置されている。排気フィルター６は、熱交換素子２における室内空気の流入口に配置されている。排気フィルター６は、筐体１の左右方向の中心よりも左方に配置されている。
【００３３】
ドレンパン１２は、熱交換素子２の下方に配置されて、熱交換素子２で発生したドレン水を溜める部材である。ドレンパン１２は、底板１ｂの上に配置されている。
【００３４】
ドレン口１３は、ドレンパン１２に溜められたドレン水を筐体１外へ排出する部材である。ドレン口１３は、上下方向に延びる円筒状に形成されている。ドレン口１３は、底板１ｂおよびドレンパン１２を貫通している。ドレン口１３の下端部は、底板１ｂよりも下方に突出している。ドレン口１３の上端部は、ドレンパン１２の底面と同じ高さ位置に設けられている。
【００３５】
制御基板１５は、熱交換素子２の下方において、スペース２９内に配置されている。制御基板１５は、図示しないケーブルで図１に示す操作部１４と電気的に接続されている。図１に示すように、制御基板１５は、第１基板１５ａと、第２基板１５ｂとを有する。第１基板１５ａは、図示しない電源と接続される基板である。第１基板１５ａは、下方に開口する箱状の第１基板ケース１５ｃ内に収容される。第２基板１５ｂは、図示しないセンサーが接続される接続部、制御設定部などを有する基板である。第２基板１５ｂに接続されるセンサーは、例えば、湿度センサー、ＣＯ２センサーである。第２基板１５ｂは、第２基板ケース１５ｄに取り付けられている。
【００３６】
図１２は、図６に示されたＸＩＩ−ＸＩＩ線に沿った断面図である。第２基板ケース１５ｄの上端部には、前方または後方に突出するリブ１５ｅが形成されている。第２基板ケース１５ｄの下端部には、基板用蓋１５ｆが取り付けられている。第２基板ケース１５ｄおよび第２基板１５ｂが筐体１内に差し込まれたときに、基板用蓋１５ｆは基板用開口部１６を覆う。
【００３７】
底板１ｂには、第２基板１５ｂを筐体１外へ引出可能な基板用開口部１６が形成されている。基板用開口部１６を通じて筐体１内から第２基板ケース１５ｄおよび第２基板１５ｂを下方に引き出すことによって、第２基板１５ｂを筐体１外に露出させることができる。基板用開口部１６の内壁には、第１壁部１６ａと、第２壁部１６ｂと、連結壁部１６ｃとが形成されている。第１壁部１６ａおよび第２壁部１６ｂは、いずれも四角筒状に形成されている。第２壁部１６ｂは、第１壁部１６ａよりも上方に配置される。第２壁部１６ｂの開口面積は、第１壁部１６ａの開口面積よりも大きい。連結壁部１６ｃは、第１壁部１６ａの上端部と第２壁部１６ｂの下端部とを連結する平坦状の部分である。
【００３８】
基板用開口部１６には、位置止め枠２６が嵌め込まれている。位置止め枠２６は、第１枠部２６ａと、第２枠部２６ｂと、接触部２６ｃとを有する。第１枠部２６ａは、第１壁部１６ａに嵌め込まれる四角枠状の部分である。第２枠部２６ｂは、第２壁部１６ｂに嵌め込まれる四角枠状の部分である。第２枠部２６ｂの開口面積は、第１枠部２６ａの開口面積よりも大きい。接触部２６ｃは、第１枠部２６ａの上端部と第２枠部２６ｂの下端部とを繋ぐ平坦状の部分である。接触部２６ｃは、連結壁部１６ｃの上に配置されている。接触部２６ｃは、第２基板１５ｂが筐体１外に引き出された状態で、リブ１５ｅに接触する。リブ１５ｅと接触部２６ｃとが互いに接触することで、筐体１内から引き出された第２基板ケース１５ｄおよび第２基板１５ｂが静止状態で保持される。リブ１５ｅと接触部２６ｃとは、筐体１外へ引き出された制御基板１５を静止した状態で保持する保持部となる。
【００３９】
次に、熱交換型換気装置１００の作用効果について説明する。
【００４０】
本実施の形態では、筐体１には、制御基板１５の一部である第２基板１５ｂを筐体１外へ引出可能な基板用開口部１６が形成されている。そのため、基板用開口部１６を通じて筐体１内から第２基板１５ｂを引き出した状態で、第２基板１５ｂへの作業を行うことができる。これにより、第２基板１５ｂを筐体１内に入れたまま、筐体１に形成された開口部を通じて第２基板１５ｂへの作業を行う場合に比べて、第２基板１５ｂへの作業が行いやすくなる。
【００４１】
本実施の形態では、筐体１は下方を向く底板１ｂを有しており、底板１ｂには制御基板１５の一部である第２基板１５ｂを筐体１外へ引出可能な基板用開口部１６が形成されている。そのため、熱交換型換気装置１００を、建物の壁面３０において天井面３１付近に設置した場合でも、第２基板１５ｂへの作業を低い位置で行うことができる。また、筐体１と床面との間に作業スペースを十分に確保することができる。これにより、第２基板１５ｂへの作業が行いやすくなる。
【００４２】
本実施の形態では、筐体１内から第２基板１５ｂを下方に引き出すため、熱交換型換気装置１００を、建物の壁面３０において天井面３１付近に設置した場合でも、第２基板１５ｂを見上げながら第２基板１５ｂへの作業を行う必要がない。つまり、第２基板１５ｂを正面から見ながら第２基板１５ｂへの作業を行うことができる。これにより、第２基板１５ｂへの作業がより一層行いやすくなる。また、基板用開口部１６を底板１ｂに設けて筐体１内から第２基板１５ｂを下方に引き出すため、意匠面となる正面板１ｃの意匠性が損なわれることがない。
【００４３】
筐体１において同じ板部に、例えば天板１ａに基板用開口部１６と意匠材２８とダクト２７ａ，２７ｂ，２７ｃ，２７ｄとが設けられる場合には、熱交換型換気装置１００の設置後に第２基板１５ｂへの作業を行う際に意匠材２８の撤去と再設置を行う必要があるとともに、天板１ａの上に位置するダクト２７ａ，２７ｂ，２７ｃ，２７ｄが邪魔になる。そのため、第２基板１５ｂへの作業が煩雑となる。これに対して、本実施の形態では、天板１ａの上には、室外側吸込部８、室内側吸込部９、室内側吹出部１０、室外側吹出部１１および各ダクト２７ａ，２７ｂ，２７ｃ，２７ｄを隠す意匠材２８が配置される。また、本実施の形態では、底板１ｂには、第２基板１５ｂを筐体１外へ引出可能な基板用開口部１６が形成されている。つまり、基板用開口部１６と、意匠材２８およびダクト２７ａ，２７ｂ，２７ｃ，２７ｄとが筐体１において異なる板部に設けられる。そのため、熱交換型換気装置１００の設置後に第２基板１５ｂへの作業を行う際に意匠材２８の撤去および再設置を行う必要がないし、第２基板１５ｂへの作業を行う際にダクト２７ａ，２７ｂ，２７ｃ，２７ｄが邪魔にならない。これにより、第２基板１５ｂへの作業が行いやすくなる。
【００４４】
本実施の形態では、筐体１外へ引き出された第２基板ケース１５ｄおよび第２基板１５ｂを静止状態で保持するリブ１５ｅおよび位置止め枠２６を備える。第２基板ケース１５ｄおよび第２基板１５ｂが静止状態で保持されることによって、第２基板１５ｂへの結線作業、第２基板１５ｂへのセンサーの接続作業が行いやすくなる。
【００４５】
本実施の形態では、制御基板１５は第１基板１５ａおよび第２基板１５ｂを備えており、第２基板１５ｂは基板用開口部１６を通じて筐体１外へ引出可能である。これにより、センサーの交換、制御の設定変更などの作業が定期的に必要な第２基板１５ｂのみを引き出して、第２基板１５ｂへの作業を効率よく行うことができる。なお、本実施の形態では、制御基板１５を第１基板１５ａと第２基板１５ｂとに分離したが、第１基板１５ａと第２基板１５ｂとを一体化して制御基板１５を１つの基板にしてもよい。このようにすると、１つの基板を基板用開口部１６から引き出すことで、制御基板１５全体への作業が可能となる。
【００４６】
図１０に示す給気風路２３のうち熱交換素子２よりも上流側の部分は、圧力損失を出来る限り小さくするために、風路断面積を大きく確保することが望ましい。また、熱交換型換気装置１００では、室外からの空気の清浄効果を高めることが求められる。しかし、製品サイズの制約上、給気風路２３のうち熱交換素子２よりも上流側の部分の風路断面積が小さくなり、外気フィルター５を配置するスペースが小さくなることがある。その結果、外気フィルター５のサイズも小さくなり、空気の清浄効果が低減する場合がある。そこで、本実施の形態では、熱交換素子２と給気用送風機３との間に給気フィルター７をさらに配置する。つまり、熱交換素子２の上流側と下流側とで合計２枚のフィルター５，７が配置される。これにより、製品サイズの制約上、給気風路２３のうち熱交換素子２よりも上流側の部分で外気フィルター５を配置するスペースが小さくなってしまう場合でも、空気の清浄効果を高めることができる。
【００４７】
なお、本実施の形態では、基板用開口部１６を底板１ｂに形成したが、基板用開口部１６を左側板１ｅ、右側板１ｆなどに形成してもよい。また、本実施の形態では、熱交換型換気装置１００を建物の壁面３０において天井面３１付近に設置したが、熱交換型換気装置１００の設置場所を限定する趣旨ではない。例えば、熱交換型換気装置１００は、建物の壁面３０において床面付近に設置されてもよい。建物の壁面３０において床面付近に熱交換型換気装置１００を設置する場合には、例えば天板１ａ、左側板１ｅまたは右側板１ｆに基板用開口部１６を形成すると、第２基板１５ｂへの作業が行いやすくなる。また、熱交換型換気装置１００は、建物の天井面３１に設置されてもよい。建物の天井面３１に熱交換型換気装置１００を設置する場合には、例えば底板１ｂ、左側板１ｅまたは右側板１ｆに基板用開口部１６を形成すると、第２基板１５ｂへの作業が行いやすくなる。
【００４８】
実施の形態２．
図１３は、本発明の実施の形態２にかかる熱交換型換気装置１００の組付状態を示す斜視図であって、熱交換型換気装置１００が建物の壁面３０に掛けられて設置された状態を示す図である。図１４は、図１３に示された熱交換型換気装置１００から制御基板１５を筐体１外に引き出した状態を示す斜視図である。図１５は、図１３に示された熱交換型換気装置１００から各フィルター５，６，７および各フィルター用蓋２０，２１，２２を取り外した状態を示す斜視図である。本実施の形態では、室外側吸込部８、室内側吸込部９、室内側吹出部１０、室外側吹出部１１を左右が反転するように配置した点が実施の形態１と相違する。また、本実施の形態では、筐体１を１８０度回転させて配置した点が実施の形態１と相違する。なお、実施の形態２では、前記した実施の形態１と重複する部分については、同一符号を付して説明を省略する。
【００４９】
図１６は、実施の形態２にかかる熱交換型換気装置１００の平面図である。図１７は、実施の形態２にかかる熱交換型換気装置１００の底面図である。図１８は、実施の形態２にかかる熱交換型換気装置１００の正面図である。図１９は、実施の形態２にかかる熱交換型換気装置１００の背面図である。図２０は、実施の形態２にかかる熱交換型換気装置１００の側面図である。以下、本実施の形態にかかる熱交換型換気装置１００と、図２から図５および図１０に示す実施の形態１にかかる熱交換型換気装置１００とを比べながら説明する。
【００５０】
図１６に示す室外側吸込部８、室内側吸込部９、室内側吹出部１０および室外側吹出部１１は、図５に示した例と左右が反転するように配置されている。具体的には、室内側吸込部９と室内側吹出部１０は、中心線Ｃよりも右方に配置されている。室外側吸込部８と室外側吹出部１１は、中心線Ｃよりも左方に配置されている。
【００５１】
図１５に示す外気フィルター用開口部１７、操作部１４、排気フィルター用開口部１８および給気フィルター用開口部１９は、図４に示した例と左右が反転するように配置されている。具体的には、外気フィルター用開口部１７は、正面板１ｃの左右方向の中心よりも左方に配置されている。外気フィルター用開口部１７は、上方から下方に向かうほど左側板１ｅに近付くように傾斜している。操作部１４は、本実施の形態では正面板１ｃの左下隅部の近くに配置されている。排気フィルター用開口部１８は、正面板１ｃの左右方向の中心よりも右方に配置されている。排気フィルター用開口部１８は、上方から下方に向かうほど右側板１ｆに近付くように傾斜している。給気フィルター用開口部１９は、正面板１ｃの左右方向の中心よりも右方に配置されている。給気フィルター用開口部１９は、上方から下方に向かうほど左側板１ｅに近付くように傾斜している。
【００５２】
図１３から図１５に示す筐体１内に配置される部品、すなわち各フィルター５，６，７、各フィルター用蓋２０，２１，２２、図示しない給気用送風機、図示しない排気用送風機なども、図２から図４に示した例と左右が反転するように配置されている。具体的には、外気フィルター５および外気フィルター用蓋２０は、筐体１の左右方向の中心よりも左方に配置されている。排気フィルター６および排気フィルター用蓋２１は、筐体１の左右方向の中心よりも右方に配置されている。給気フィルター７および給気フィルター用蓋２２は、筐体１の左右方向の中心よりも右方に配置されている。図示は省略するが、給気用送風機３は、図１０に示した例では筐体１の左右方向の中心よりも左方に配置されたが、本実施の形態では筐体１の左右方向の中心よりも右方に配置される。排気用送風機４は、図１０に示した例では筐体１の左右方向の中心よりも右方に配置されたが、本実施の形態では筐体１の左右方向の中心よりも左方に配置される。
【００５３】
また、図１３から図１５に示す筐体１は、図２から図４に示す筐体１を、底板１ｂの幾何中心を通る上下方向の軸を回転軸として１８０度回転させた状態になっている。そのため、基板用開口部１６およびドレン口１３は、図２から図４に示した例と１８０度回転させた位置に配置されている。具体的には、基板用開口部１６は、底板１ｂの前後方向の中心よりも後方に配置されている。基板用開口部１６は、本実施の形態では底板１ｂのうち背板１ｄとの境界部の近くに配置されている。ドレン口１３は、本実施の形態では底板１ｂの左前隅部の近くに配置されている。但し、図２から図４に示す筐体１を１８０度回転させると、各フィルター用開口部１７，１８，１９、各フィルター５，６，７、各フィルター用蓋２０，２１，２２、操作部１４などが壁面３０を向いてしまう。そのため、本実施の形態では、図２から図４に示す筐体１を１８０度回転させたときに各フィルター用開口部１７，１８，１９などが配置される板部と、正面を向く板部とを入れ替えている。
【００５４】
また、図２から図４に示す筐体１を１８０度回転させると、第２基板１５ｂの部品面が壁面３０を向いてしまう。そのため、第２基板１５ｂの部品面が正面を向くように第２基板１５ｂを反転させている。つまり、底板１ｂの幾何中心を通る上下方向の軸を回転軸として筐体１を１８０度回転させた状態でも、第２基板１５ｂの部品面が壁面３０と反対側を向くように第２基板１５ｂは筐体１に配置されている。これにより、筐体１および各部品の位置が異なる製品においても、共通の第２基板１５ｂを使用することができるため、製品ごとに異なる第２基板１５ｂを用意する必要がなくなる。
【００５５】
実施の形態１にかかる熱交換型換気装置１００と実施の形態２にかかる熱交換型換気装置１００との２種類の装置を製造するにあたり、主要部品である室外側吸込部８などの左右を反転させつつ主要部品である筐体１を１８０度回転させるとともに、筐体１の板部などの一部を入れ替えている。つまり、主要部品を共用して部品の一部を変更するだけで、実施の形態１にかかる熱交換型換気装置１００と実施の形態２にかかる熱交換型換気装置１００とを製造することができるため、製造の効率化を図ることができる。
【００５６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５７】
１  筐体、１ａ  天板、１ｂ  底板、１ｃ  正面板、１ｄ  背板、１ｅ  左側板、１ｆ右側板、２  熱交換素子、２ａ  仕切部材、２ｂ  間隔保持部材、３  給気用送風機、４  排気用送風機、５  外気フィルター、６  排気フィルター、７  給気フィルター、８  室外側吸込部、９  室内側吸込部、１０  室内側吹出部、１１  室外側吹出部、１２  ドレンパン、１２ａ  台座、１３  ドレン口、１４  操作部、１５  制御基板、１５ａ  第１基板、１５ｂ  第２基板、１５ｃ  第１基板ケース、１５ｄ  第２基板ケース、１５ｅ  リブ、１５ｆ  基板用蓋、１６  基板用開口部、１６ａ  第１壁部、１６ｂ  第２壁部、１６ｃ  連結壁部、１７  外気フィルター用開口部、１８  排気フィルター用開口部、１９  給気フィルター用開口部、２０  外気フィルター用蓋、２１  排気フィルター用蓋、２２  給気フィルター用蓋、２３  給気風路、２４  排気風路、２５  断熱部品、２６  位置止め枠、２６ａ  第１枠部、２６ｂ  第２枠部、２６ｃ  接触部、２７ａ，２７ｂ，２７ｃ，２７ｄ  ダクト、２８  意匠材、２９  スペース、３０  壁面、３１  天井面、１００  熱交換型換気装置、Ｃ  中心線。
【図１】
2021014491.tif 000003
【図２】
2021014491.tif 000004
【図３】
2021014491.tif 000005
【図４】
2021014491.tif 000006
【図５】
2021014491.tif 000007
【図６】
2021014491.tif 000008
【図７】
2021014491.tif 000009
【図８】
2021014491.tif 000010
【図９】
2021014491.tif 000011
【図１０】
2021014491.tif 000012
【図１１】
2021014491.tif 000013
【図１２】
2021014491.tif 000014
【図１３】
2021014491.tif 000015
【図１４】
2021014491.tif 000016
【図１５】
2021014491.tif 000017
【図１６】
2021014491.tif 000018
【図１７】
2021014491.tif 000019
【図１８】
2021014491.tif 000020
【図１９】
2021014491.tif 000021
【図２０】
2021014491.tif 000022
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
室外からの空気を室内に給気するための給気風路と、室内からの空気を室外に排気するための排気風路とが形成される箱状の筐体と、
前記給気風路内に配置される給気用送風機と、
前記排気風路内に配置される排気用送風機と、
前記筐体内に配置されて、前記給気風路内を流れる空気と前記排気風路内を流れる空気との間で熱交換させる熱交換素子と、
前記筐体内に配置される制御基板と、を備え、
前記筐体には、前記制御基板の少なくとも一部を前記筐体外へ引出可能な基板用開口部が形成されていることを特徴とする熱交換型換気装置。
【請求項２】
前記筐体は、下方を向く底板を有しており、
前記底板には、前記基板用開口部が形成されていることを特徴とする請求項１に記載の熱交換型換気装置。
【請求項３】
前記筐体は、上方を向く天板を有しており、
前記天板には、前記筐体の内外を連通し、ダクトが接続されるダクト接続口が設けられており、
前記天板の上には、前記ダクト接続口および前記ダクトを隠す意匠材が配置されていることを特徴とする請求項２に記載の熱交換型換気装置。
【請求項４】
前記筐体外へ引き出された前記制御基板を静止した状態で保持する保持部をさらに備えることを特徴とする請求項１から３のいずれか１項に記載の熱交換型換気装置。
【請求項５】
前記制御基板が取り付けられる基板ケースを備え、
前記保持部は、前記制御基板が前記筐体外へ引き出された状態で、互いに接触する前記基板ケースと前記基板用開口部の内壁とであることを特徴とする請求項４に記載の熱交換型換気装置。
【請求項６】
前記制御基板は、複数の基板を備えており、
前記複数の基板のうちの少なくとも１つは、前記基板用開口部を通じて前記筐体外へ引出可能であることを特徴とする請求項１から５のいずれか１項に記載の熱交換型換気装置。
【請求項７】
前記制御基板は、１つの基板であることを特徴とする請求項１から５のいずれか１項に記載の熱交換型換気装置。
【請求項８】
前記筐体は、建物の壁面に設置されており、
前記制御基板の部品面は、前記壁面と反対側を向くことを特徴とする請求項１から７のいずれか１項に記載の熱交換型換気装置。
【請求項９】
前記筐体には、
室外からの空気を前記筐体内に吸い込むための室外側吸込部と、
室内からの空気を前記筐体内に吸い込むための室内側吸込部と、
室外からの空気を前記筐体外へ吹き出すための室内側吹出部と、
室内からの空気を前記筐体外へ吹き出すための室外側吹出部と、
前記給気風路内に配置される外気フィルターと、
前記給気風路内に配置される給気フィルターと、
前記排気風路内に配置される排気フィルターと、が設けられており、
前記筐体のうち前記壁面に接する板部を背板とし、前記背板を挟んで前記壁面と反対側に配置される板部を正面板とし、前記正面板に対峙したユーザーから見た左右方向を左右方向としたときに、
前記室内側吸込部、前記室内側吹出部、前記給気フィルターおよび前記排気フィルターは、前記筐体の左右方向の中心よりも左方に配置されており、
前記室外側吸込部、前記室外側吹出部および前記外気フィルターは、前記筐体の左右方向の中心よりも右方に配置されていることを特徴とする請求項８に記載の熱交換型換気装置。
【請求項１０】
前記筐体には、
室外からの空気を前記筐体内に吸い込むための室外側吸込部と、
室内からの空気を前記筐体内に吸い込むための室内側吸込部と、
室外からの空気を前記筐体外へ吹き出すための室内側吹出部と、
室内からの空気を前記筐体外へ吹き出すための室外側吹出部と、
前記給気風路内に配置される外気フィルターと、
前記給気風路内に配置される給気フィルターと、
前記排気風路内に配置される排気フィルターと、が設けられており、
前記筐体のうち前記壁面に接する板部を背板とし、前記背板を挟んで前記壁面と反対側に配置される板部を正面板とし、前記正面板に対峙したユーザーから見た左右方向を左右方向としたときに、
前記室内側吸込部、前記室内側吹出部、前記給気フィルターおよび前記排気フィルターは、前記筐体の左右方向の中心よりも右方に配置されており、
前記室外側吸込部、前記室外側吹出部および前記外気フィルターは、前記筐体の左右方向の中心よりも左方に配置されていることを特徴とする請求項８に記載の熱交換型換気装置。
【国際調査報告】
2021014491.tif 000023
2021014491.tif 000024
2021014491.tif 000025
2021014491.tif 000026